(57)【要約】【課題】鮮明な反射映像が得られ、しかも不使用時においては内部に収納できるようにした鏡を有する携帯電話機を提供する。【解決手段】液晶表示パネル２８を備える表示部１１の背面側の部分にヒンジ部３０によって回動可能に補助キャビネット１２を取付けておき、この補助キャビネット１２の内側の面と、表示部１１の背面側の部分とにそれぞれ、プラスチックまたは軽金属のパネルによって構成される鏡２１、２２を取付けるようにする。【選択図】図７
0003128589.tif 000002
【実用新案登録請求の範囲】
【請求項１】
無線通信手段を備える携帯式電話機において、
開閉式の補助キャビネットを有し、該補助キャビネットの内側に鏡を設けたことを特徴とする携帯式電話機。
【請求項２】
操作パネルを有する本体キャビネットに対して回動自在に表示部を取付けるとともに、該表示部の背面側に補助キャビネットが開閉自在に取付けられ、該補助キャビネットの内側に鏡を設けたことを特徴とする請求項１に記載の携帯式電話機。
【請求項３】
前記補助キャビネットが前記表示部を回動可能に取付けるヒンジと異なる方向に回動される別のヒンジによって前記表示部に回動可能に取付けられるとともに、前記補助キャビネットの裏側と前記表示部の背面側とにそれぞれ鏡が設けられ、２面鏡をなすことを特徴とする請求項１に記載の携帯式電話機。
【請求項４】
不使用時に前記補助キャビネットが折畳まれると、前記鏡が前記補助キャビネットによって内部に隠れることを特徴とする請求項１に記載の携帯式電話機。
【請求項５】
前記表示部が液晶表示パネルを備え、該液晶表示パネルのバックライトの背面側に位置するように前記補助キャビネットの内側に鏡を設けたことを特徴とする請求項２に記載の携帯式電話機。
【請求項６】
前記鏡がプラスチックまたは軽金属のパネルの表面に鏡面を形成した鏡であることを特徴とする請求項１に記載の携帯式電話機。
【考案の詳細な説明】
【技術分野】
【０００１】
本考案は携帯式電話機に係り、とくに無線通信手段を備える携帯式電話機に関する。
【背景技術】
【０００２】
外出先等で、必要に応じて情報の伝達を行なうために、携帯式電話機が用いられる。携帯式電話機は、無線通信手段を備え、この無線通信手段によってその領域をカバーする基地局との間で無線で送受信を行なう。相手方の携帯電話機もまたその地域をカバーする基地局との間で送受信を行なう。そして２つの基地局間を携帯電話通信網を構成する信号ケーブルでデジタル通信によって信号の授受伝達を行なうようにしている。
【０００３】
このような無線電話機は、上述のような情報の伝達手段に用いられる他、ナビゲーションの機能を備えたり、あるいはまたカメラの機能を備えたものがある。またコンピュータの一部の機能を備えた携帯電話機も提供されている。
【０００４】
さらにこのような携帯電話機のキャビネットを鏡として用いる試みがなされている。従来のこの種の鏡は、液晶表示パネルから成るディスプレイの表面に、半透明の反射フィルムを貼付ける構造になっている。このような反射フィルムの表面が半鏡面になっているために、この鏡面を利用して鏡として利用するものである。しかるに従来のこのような構成は、ディスプレイの表面に半透明の反射フィルムを挟着するために、ディスプレイが見難くなる欠点がある。さらにディスプレイを見る必要があるために、反射フィルムを完全な鏡面にすることができず、このために鏡として用いる場合にもあまりはっきりした反射映像を得ることができない問題がある。
【特許文献１】特開２００１−２２３７７８号公報
【特許文献２】特開２００３−１９８６８９号公報
【考案の開示】
【考案が解決しようとする課題】
【０００５】
本願考案の課題は、鏡の機能を付与した携帯電話機を提供することである。
【０００６】
本願考案の別の課題は、鮮明な反射映像を得ることができる鏡を備えた携帯電話機を提供することである。
【０００７】
本願考案のさらに別の課題は、不使用時において、鏡が外部に露出することがなく、これによって鏡が不測に汚損されないようにした携帯電話機を提供することである。
【０００８】
本願考案のさらに別の課題は、複数の鏡を備え、多面鏡として利用することができる携帯電話機を提供することである。
【０００９】
本願考案の上記の課題および別の課題は、以下に述べる本願考案の技術的思想、およびその実施の形態によって明らかにされる。
【課題を解決するための手段】
【００１０】
本願の主要な考案は、無線通信手段を備える携帯式電話機において、
開閉式の補助キャビネットを有し、該補助キャビネットの内側に鏡を設けたことを特徴とする携帯式電話機に関するものである。
【００１１】
ここで、操作パネルを有する本体キャビネットに対して回動自在に表示部を取付けるとともに、該表示部の背面側に補助キャビネットが開閉自在に取付けられ、該補助キャビネットの内側に鏡を設けてよい。また前記補助キャビネットが前記表示部を回動可能に取付けるヒンジと異なる方向に回動される別のヒンジによって前記表示部に回動可能に取付けられるとともに、前記補助キャビネットの裏側と前記表示部の背面側とにそれぞれ鏡が設けられ、２面鏡をなすようにしてよい。また不使用時に前記補助キャビネットが折畳まれると、前記鏡が前記補助キャビネットによって内部に隠れるようにしてよい。また前記表示部が液晶表示パネルを備え、該液晶表示パネルのバックライトの背面側に位置するように前記補助キャビネットの内側に鏡を設けてよい。また前記鏡がプラスチックまたは軽金属のパネルの表面に鏡面を形成した鏡であってよい。
【考案の効果】
【００１２】
本願の主要な考案は、無線通信手段を備える携帯式電話機において、開閉式の補助キャビネットを有し、該補助キャビネットの内側に鏡を設けたものである。
【００１３】
従ってこのような携帯式電話機によれば、補助キャビネットを開いてその内側に設けられた鏡を利用して、この携帯電話機で反射映像を得ることができ、例えば化粧の際の鏡として用いることが可能になる。
【考案を実施するための最良の形態】
【００１４】
以下本願考案を図示の実施の形態によって説明する。図１〜図４は、本実施の形態の携帯電話機の全体の構成を示すものである。この携帯電話機は本体キャビネット１０と、その上側に位置する表示部１１と、補助キャビネット１２とから構成される。ここで本体キャビネット１０の上端側であってその両側には支持部１３が形成され、この支持部１３に表示部１２の連結部１４が、ヒンジピン１５によって回動可能に連結されている。すなわちヒンジピン１５を中心として、表示部１１を図５に示すように回動させて開くことができるようにしている。これによって表示部１１の液晶表示パネル２８が露出することになる。
【００１５】
本体キャビネット１０の上端側であって右側の支持部１３の下方には、アンテナ１８が上方に突出するように設けられる。また本体キャビネット１０の背面側には図３に示すように、カメラ１９が取付けられている。そして上記補助キャビネット１２の内側であって、表示部１１の背面側の部分には、一対の鏡２１、２２が互いに重合うように配されている。これらの鏡２１、２２は、後述するように、補助キャビネット１２を開くと、２面鏡として機能するようになっている。
【００１６】
次に本体キャビネット１０の上面であって操作面の構成を図５によって説明すると、本体キャビネット１０の操作面には、複数のファンクションキー２５と、０〜９までの数字キー２６とが所定の配列で設けられている。このようなファンクションキー２５や数字キー２６の操作に応じて、表示部１１の内側の表面に設けられている液晶表示パネル２８が所定の表示を行なうようにしている。従って液晶表示パネル２８を見ながら、例えば数字キー２６によって送信先の電話番号を入力して、送信釦を押すと、携帯電話としての通信が行なわれるようになり、通常の携帯電話機として使用できるようになっている。
【００１７】
次にこのような携帯電話機を用いて、一対の鏡２１、２２によって２面鏡として用いる動作について説明する。図６および図７に示すように、補助キャビネット１２は表示部１１を閉じた状態において、その右端側の一対のヒンジ部３０によって、この表示部１１の右端側に対して回動自在に支持されており、閉じられると図６Ａに示すように、この補助キャビネット１２が表示部１１の上側に重合うように回動され、これによって一対の鏡２１、２２は互いに重合うとともに、補助キャビネット１２によって覆われて外部に露出しなくなる。
【００１８】
これに対してヒンジ部３０を中心として補助キャビネット１２を図６Ｂに示すように時計方向に回動させ、この補助キャビネット１２をほぼ水平な位置まで回動させると、一対の鏡２１、２２によって図６Ｂおよび図７に示すような２面鏡になる。従ってこのような２面鏡を用いて、反射映像を得ることができる。従ってこの携帯電話機を、例えば化粧用の鏡として用いることができ、この鏡によって化粧直しを行なうことができる。なお一対の鏡２１、２２の内の鏡２２は、表示部１１の背面側であって、液晶表示パネル２８のバックライト３１の上部に、このバックライト３１と背中合わせに取付けられるようになっている。
【００１９】
上記の補助キャビネット１２によって覆われるように配される鏡２１、２２は、プラスチックまたはアルミニウム等の軽金属の表面に、鏡面を形成した鏡であって、極めて薄く、しかも軽量の鏡である。従ってこのような鏡２１、２２を設けても、携帯電話機の全体としての寸法が大きくなることがなく、あるいはまた重量もほとんど増加しない。すなわち従来の携帯電話機とほぼ同じ大きさの機能で、この携帯電話機に対して鏡としての機能を付与することが可能になる。しかもこのような鏡２１、２２は、補助キャビネット１２を閉じると、内側に収納され（図６Ａ参照）、このために鏡２１、２２が不測に汚損されることがない。また使用する際には、図６Ｂおよび図７に示すように、補助キャビネット１２を開いて行なえばよく、このときに、鏡２１、２２がともにプラスチックあるいは軽金属のパネルの表面に、蒸着あるいはメッキによって銀の薄膜を形成して鏡面とした鏡から構成されているために、鮮明な反射映像が得られるようになり、十分な反射機能を有する鏡として利用できるようになる。またこのような鏡２１、２２は薄くてしかも軽量であるために、携帯電話機が厚くなったり重くなったりすることもない。
【００２０】
以上本願考案を図示の実施の形態によって説明したが、本願考案は上記実施の形態によって限定されることなく、本願考案の技術的思想の範囲内において各種の変更が可能である。例えば上記実施の形態における鏡２１、２２の大きさや形状については、任意に設計変更可能である。また必ずしも２面鏡にする必要はなく、一対の鏡２１、２２の内の一方を省略するようにしてもよい。すなわち表示部１１の背面側の鏡２２のみを残し、補助キャビネット１２を鏡２２の蓋として用いるようにしてもよく、あるいはまた補助キャビネット１２の内側の鏡２１のみによって、１面鏡としてもよい。
【産業上の利用可能性】
【００２１】
本願考案は、鏡の機能を有する携帯電話機として利用することができる。
【図面の簡単な説明】
【００２２】
【図１】携帯電話機の平面図である。
【図２】同携帯電話機の側面図である。
【図３】同携帯電話機の底面図である。
【図４】同携帯電話機の閉じた状態の斜視図である。
【図５】同携帯電話機の使用状態の外観斜視図である。
【図６】携帯電話機のとくに鏡の部分の構造を示す要部断面図である。
【図７】鏡として使用している状態を示す外観斜視図である。
【符号の説明】
【００２３】
１０  本体キャビネット
１１  表示部
１２  補助キャビネット
１３  支持部
１４  連結部
１５  ヒンジピン
１８  アンテナ
１９  カメラ
２１、２２  鏡
２５  ファンクションキー
２６  数字キー
２８  液晶表示パネル
３０  ヒンジ部
３１  バックライト
３３  ヒンジ
【図１】
0003128589.tif 000003
【図２】
0003128589.tif 000004
【図３】
0003128589.tif 000005
【図４】
0003128589.tif 000006
【図５】
0003128589.tif 000007
【図６】
0003128589.tif 000008
【図７】
0003128589.tif 000009